(57)【要約】【課題】光源を内蔵する灯体から効果的に放熱され、また、灯体の取付けが容易な照明器具を提供する。【解決手段】照明器具１は、光源９を内蔵する略筒状の灯体２と、上端３ａに灯体２の上面２ａよりも大きな開口１８を有する略筒状の器具本体３と、中空部２２を有し、この中空部２２に灯体２の上面２ａが露出するように灯体２の上面２ａに直接的に固定され、灯体２が器具本体３に収容されるように器具本体３の上端３ａ側に取り付けられた略板状の支持部材４とを具備している。【選択図】図１
2007323926.tif 000002
【特許請求の範囲】
【請求項１】
光源を内蔵する略筒状の灯体と；
上端に灯体の上面よりも大きな開口を有する略筒状の器具本体と；
中空部を有し、この中空部に灯体の上面が露出するように灯体の上面に直接的に固定され、灯体が器具本体に収容されるように器具本体の上端側に取り付けられた略板状の支持部材と；
を具備していることを特徴とする照明器具。
【請求項２】
器具本体の上端には、上端面と略同一面状となるように内方に突出する複数の突出部が設けられ、支持部材の上面には、灯体の周回方向となるように複数の爪部が設けられており、灯体は、前記突出部が支持部材の上面と前記爪部に挟まれて器具本体に取り付けられていることを特徴とする請求項１記載の照明器具。
【請求項３】
前記爪部は、弾性を有し、その先端部は、支持部材の上面と前記爪部に挟まれた前記突出部が当接することのできるように支持部材の上面側に折曲されていることを特徴とする請求項２記載の照明器具。
【請求項４】
前記爪部は、支持部材の上面の切り起こしにより形成され、この切り起こしにより形成された開口の一部が器具本体の内部に臨んでいることを特徴とする請求項２または３記載の照明器具。
【発明の詳細な説明】
【技術分野】
【０００１】
本発明は、光源からの発生熱が放熱される照明器具に関する。
【背景技術】
【０００２】
例えば発光ダイオード（ＬＥＤ）は、複数個を集積させて所望する光量の照射光を得ることにより、照明用ランプ用の光源として利用されている。そして、発光ダイオードは、点灯により発熱し、この発熱により温度上昇すると、寿命が短くなる。したがって、発光ダイオードからの発生熱を効率よく外部に放熱することが求められている。
【０００３】
例えば、発光ダイオードを搭載したプリント基板の側面を覆う上部カバーと、上部カバーの外周に係合された下部カバーとを備え、発光ダイオードからの熱を上部カバーと下部カバーから外部に放熱させる照明器具が提案されている（特許文献１参照。）この従来技術の照明器具は、上部カバーと下部カバーが熱伝導率の良好なアルミニウムのような金属で形成されることにより放熱路が形成され、発光ダイオードの周囲には熱がこもらない構成となっている。
【０００４】
また、蛍光ランプおよび安定器を冷却するものとして、天井に埋設されるシャーシおよびランプソケットを保持する反射体に通気孔をそれぞれ形成している照明器具が提案されている（特許文献２参照。）。この従来技術の照明器具は、反射体に形成された通気孔に流れる気流により、ランプソケットおよび蛍光ランプの端部が有効に冷却され、シャーシに形成された通気孔に流れる気流により、安定器が効果的に冷却されるというものである。
【特許文献１】特開２００２−３４３１３０号公報（第３−４頁、第１図）
【特許文献２】特開平８−１０２２１３号公報（第３頁、第１図）
【発明の開示】
【発明が解決しようとする課題】
【０００５】
特許文献１の照明器具は、上部カバーとプリント基板の側面とが接触しているので、プリント基板に配置された発光ダイオードおよび他の電子部品からの熱がプリント基板から上部カバーに伝熱されにくい。また、プリント基板の上方側が密閉された器具構造であり、放熱構造に形成されていない。したがって、発光ダイオードの温度上昇を抑制させにくいものである。
【０００６】
また、特許文献２の照明器具は、蛍光ランプの端部、ランプソケットあるいは安定器を所望の温度に冷却するものであり、構成物の部分的な温度調節に限定されるものである。
【０００７】
本発明は、光源を内蔵する灯体から効果的に放熱され、また、灯体の取付けが容易な照明器具を提供することを目的とする。
【課題を解決するための手段】
【０００８】
請求項１に記載の照明器具の発明は、光源を内蔵する略筒状の灯体と；上端に灯体の上面よりも大きな開口を有する略筒状の器具本体と；中空部を有し、この中空部に灯体の上面が露出するように灯体の上面に直接的に固定され、灯体が器具本体に収容されるように器具本体の上端側に取り付けられた略板状の支持部材と；を具備していることを特徴とする。
【０００９】
本発明および以下の各発明において、特に言及しない限り、各構成は以下による。
【００１０】
「灯体の上面に直接的に固定される支持部材」とは、支持部材と灯体の上面とが接触するようにして固定されることを意味する。
【００１１】
「中空部を有する」とは、支持部材の中心部側に孔が設けられているものである。当該孔に灯体の上面が露出する。当該孔は、可能な限り、大きいことが好ましい。
【００１２】
灯体は、例えばアルミニウム（Ａｌ）などの熱伝導率の高い材質で形成されることが好ましい。また、支持部材も熱伝導率の高い材質で形成されることが好ましい。
【００１３】
本発明によれば、灯体の上面は、支持部材の中空部に露出するので、支持部材の中空部において外気に晒される。そして、光源からの発生熱は、灯体に伝熱され、灯体の上面から支持部材に伝熱されて支持部材から外気に放熱されるとともに、灯体の上面から支持部材の中空部を介して直接的に外気に放熱される。前記発生熱が支持部材の中空部を介して直接的に外気に放熱されることにより、灯体からの放熱が早くなり、灯体の温度上昇が抑制され、光源の温度上昇が抑制される。
【００１４】
請求項２に記載の照明器具の発明は、請求項１記載の照明器具において、器具本体の上端には、上端面と略同一面状となるように内方に突出する複数の突出部が設けられ、支持部材の上面には、灯体の周回方向となるように複数の爪部が設けられており、灯体は、前記突出部が支持部材の上面と前記爪部に挟まれて器具本体に取り付けられていることを特徴とする。
【００１５】
「突出部が支持部材の上面と爪部に挟まれる」とは、突出部が支持部材の上面と爪部に挟持される挟み込みであってもよく、突出部が支持部材の上面と隙間を有して爪部を係止することであってもよい。
【００１６】
器具本体の突出部は、支持部材の爪部と交差するようにして、支持部材の上面と爪部に挟まれる。そして、突出部は、支持部材の上面に位置された状態で、灯体が灯体の周回方向に回動されることにより、支持部材の上面と爪部に挟まれる。
【００１７】
本発明によれば、器具本体の上端側に設けられた複数の突出部を支持部材の上面と爪部に挟ませることにより、爪部が突出部に係止されて、灯体が器具本体に収容されるようにして器具本体の上端側に取り付けられる。
【００１８】
請求項３に記載の照明器具の発明は、請求項２記載の照明器具において、前記爪部は、弾性を有し、その先端部は、支持部材の上面と前記爪部に挟まれた前記突出部が当接することのできるように支持部材の上面側に折曲されていることを特徴とする。
【００１９】
複数の爪部のうち、少なくとも１つの爪部の先端部が折曲されていればよい。
【００２０】
爪部は、弾性を有するので、例えば爪部の先端部をドライバ等の工具類を用いて持ち上げることにより、爪部の先端部側から器具本体の突出部を支持部材の上面と爪部に挟ませることができる。
【００２１】
本発明によれば、例えば、灯体が不所望に回動して器具本体の突出部が爪部の先端部側から抜けようとすると、突出部が爪部の折曲された先端部に当接する。これにより、灯体は、回動しなくなり、突出部は、支持部材の上面と爪部に挟まれた状態を維持し、爪部の係止を保持する。
【００２２】
請求項４に記載の照明器具の発明は、請求項２または３記載の照明器具において、前記爪部は、支持部材の上面の切り起こしにより形成され、この切り起こしにより形成された開口の一部が器具本体の内部に臨んでいることを特徴とする。
【００２３】
「切り起こしにより形成された開口の一部が器具本体の内部に臨んでいる」とは、当該開口の残部に灯体の上面が露出していることを意味する。支持部材は、灯体の上面よりも大きい必要最小限の大きさに形成されることが好ましく、これにより、器具本体の大形化が防止される。
【００２４】
本発明によれば、灯体の放熱によって器具本体の内部温度が上昇するにつれ、温度上昇した器具本体内の空気が切り起こしにより形成された開口の一部から外気に流れる。これにより、灯体からの放熱がより促進されて、灯体の温度上昇がより抑制される。
【発明の効果】
【００２５】
請求項１の発明によれば、光源からの発生熱は、支持部材の中空部において、灯体の上面から直接的に放熱されるので、灯体からの放熱が早くなる結果、灯体および光源の温度上昇を抑制することができて、光源の光出力を安定化させることができるとともに、光源を長寿命化させることができる。
【００２６】
請求項２の発明によれば、器具本体の複数の突出部を支持部材の上面と爪部に挟ませることにより、灯体が器具本体に取り付けられるので、器具本体に灯体を取り付ける作業を短時間で容易に行うことができ、省力化を図ることができる。
【００２７】
請求項３の発明によれば、器具本体の突出部は、灯体が不所望に回動しても、支持部材の爪部の折曲された先端部に当接して爪部の係止を保持するので、灯体の器具本体への取付けに対する安全性および信頼性を向上させることができる。
【００２８】
請求項４の発明によれば、器具本体の内部温度が上昇するにつれ、器具本体内の空気が爪部形成の切り起こしにより形成された開口の一部を通気して器具本体の内部温度を低減させるので、灯体からの放熱をより行わせることができ、これにより、光源の温度上昇をより抑制することができて、光源を長寿命化させることができる。
【発明を実施するための最良の形態】
【００２９】
以下、本発明の一実施の形態について、図面を参照して説明する。
【００３０】
図１ないし図５は、本発明の一実施の形態を示し、図１は照明器具の一部切り欠き概略断面図、図２は照明器具の概略上面図、図３は支持部材の爪部を示し、（ａ）は器具本体の突出部に係止された状態の概略断面図、（ｂ）は器具本体の突出部を支持部材の上面との間で挟持している状態の概略断面図、図４は灯体を示し、（ａ）は概略側面図、（ｂ）は概略縦断面図、図５は灯体を示し、（ａ）は概略下面図、（ｂ）は概略上面図である。
【００３１】
図１において、照明器具１は、天井などの造営物に埋設される埋め込み形照明器具であり、灯体２、器具本体３および支持部材４を有して形成されている。
【００３２】
灯体２は、アルミニウム（Ａｌ）からなり、図４（ｂ）に示すように、それぞれ略円筒状の上灯体部５および下灯体部６に形成されている。上灯体部５および下灯体部６は、ねじ７により一体化されている。そして、下灯体部６には、３箇所に光源部８が形成されている。
【００３３】
光源部８は、光源としての発光ダイオード９と、この発光ダイオード９を実装している基板１０と、発光ダイオード９を覆うレンズ１１と、基板１０およびレンズ１１を所定の位置に固定している固定部材１２からなっている。固定部材１２は、ねじ１３，１３により上灯体部５に取り付けられている。３箇所の光源部８は、図５（ａ）に示すように、下灯体部６の下面６ｂにレンズ１１が正三角形状に露出するように下灯体部６内に配設されている。このようにして、発光ダイオード９は、下灯体部６（灯体２）に内蔵されている。
【００３４】
そして、下灯体部６内には、図４（ｂ）に示すように、上灯体部５に設けられた貫通孔１４を介して電源コード１５が引き込まれている。電源コード１５の電源線は、基板１０に接続されている。発光ダイオード９は、電源コード１５を介して直流電圧が供給されて点灯し、例えば白色光を放射する。
【００３５】
そして、上灯体部５は、図４（ａ）に示すように、側面５ｂに外周に亘って溝１６が形成されている。また、図５（ｂ）に示すように、上面５ａ（灯体２の上面２ａ）に支持部材３を固定するためのねじ孔１７，１７が形成されている。
【００３６】
図１において、器具本体３は、例えば鋼板からなり、上端３ａに灯体２の上面２ａよりも大きな開口１８を有し、下端３ｂに外方に延在する鍔部１９を有する略円筒状に形成されている。そして、鍔部１９に、板状の取付ばね２０，２０が固定されている。取付ばね２０，２０および鍔部１９の間に天井などの造営物が挟み込まれて挟持されることにより、器具本体３が造営物に固定される。
【００３７】
器具本体３は、灯体２の下面２ｂ（下灯体部６の下面６ｂ）と鍔部１９が略同一面状となるように、灯体２を収容している。
【００３８】
器具本体３の上端３ａには、図２に示すように、上端面３ａａと略同一面状となるように内方に突出する複数の突出部としての突出片２１が設けられている。突出片２１は、上端３ａから延在して形成され、上端３ａの周回に等間隔となるように３個が設けられている。
【００３９】
支持部材４は、略板状のアルミニウム（Ａｌ）からなり、略円状の中空部２２を有し、その外形が器具本体３の開口１８と相似する円状であって開口１８よりも幾分小さく形成されている。
【００４０】
そして、支持部材４は、ねじ２３，２３により、灯体２の上面２ａのねじ孔１７，１７にねじ止めされ、灯体２の上面２ａに直接的に固定されている。すなわち、灯体２の上面２ａは、一部が支持部材４に接触（密接）し、一部が灯体２の中空部２２に露出している。中空部２２は、灯体２の上面２ａができるだけ露出する大きさに形成されている。
【００４１】
また、支持部材４の上面４ａには、複数の爪部２４が設けられている。爪部２４は、灯体２の周回方向となるように、支持部材４の上面４ａが切り起こされて形成され、灯体２の上面２ａの周回に等間隔となるように３個が設けられている。すなわち、爪部２３は、器具本体３の突出片２１に対応するように設けられている。
【００４２】
支持部材４の上面４ａと爪部２４の間には、器具本体３の突出片２１が挟まれる。そして、爪部２４は、図１に示すように、突出片２１に係止する。これにより、支持部材４を固定している灯体２が器具本体３に収容されるように器具本体３の上端３ａ側に取り付けられる。
【００４３】
そして、爪部２４は、支持部材４の上面４ａの切り起こしにより形成されているので、先端部２４ａ側が基端部２４ｂを固定部として弾性を有している。また、先端部２４ａは、図３（ａ）に示すように、支持部材４の上面４ａ側に折曲された折曲部２４ａａを有している。灯体２が回動したときに、爪部２４を係止している器具本体３の突出片２１が前記折曲部２４ａａに当接することのできるようにしている。
【００４４】
また、爪部２４が支持部材４の上面４ａの切り起こしにより形成されているので、図２に示すように、支持部材４の上面４ａの当該切り起こし部位に開口２５が形成されている。この開口２５の灯体２の周回方向と直交する方向の略１／２の領域は、灯体２の上面２ａが露出しており、残余の領域は、器具本体３の内部に臨んでいる。すなわち、開口２５の一部は、器具本体３の内部に直接的に連通していて、器具本体３内の通気口となっている。
【００４５】
なお、爪部２４は、図３（ｂ）に示すように、支持部材４の上面４ａ側に突出する突部２６を形成して、この突部２６と支持部材４の上面４ａとにより、器具本体３の突出片２１を挟持するように形成してもよい。これにより、灯体２が不所望に回動しにくくなり、灯体２の器具本体３への取付けの安全性や信頼性が向上する。
【００４６】
また、灯体２および器具本体３は、それぞれ略円筒状に形成しているが、略四角筒状などの略多角筒状に形成されてもよい。しかし、灯体２は、周回方向に回動して器具本体３に着脱されるので、略多角筒状に形成されると外接円の直径が大きくなる。これにより、灯体２を収容する器具本体３が大形化する。したがって、灯体２および器具本体３は、それぞれ略円筒状に形成することが好ましい。
【００４７】
次に、本発明の一実施の形態の作用について述べる。
【００４８】
灯体２は、支持部材４を固定し、器具本体３の下端３ｂ側から器具本体３内に挿入される。そして、灯体２の上面２ａを器具本体３の３個の突出部としての突出片２１に当接させる。この状態において、支持部材４の爪部２４の先端部２４ａ側を突出片２１に当接させるように灯体２を回動させると、爪部２４の先端部２４ａの折曲部２４ａａが突出片２１に当接する。
【００４９】
そして、灯体２をさらに回動させるようにする。すると、爪部２４の先端部２４ａ側は、弾性を有するので、当該回動に応じて、先端部２４ａ側が支持部材４の上面４ａから拡開し、折曲部２４ａａが突出片２１を乗り越える。これにより、突出片２１が支持部材４の上面４ａと爪部２４に挟まれる。
【００５０】
そして、灯体２の上面２ａを突出片２１に当接させなくすると、突出片２１に爪部２４が係止するようになる。これにより、灯体２は、器具本体３の上端３ａ側に取り付けられる。
【００５１】
このように、灯体２を回動させて、器具本体３の上端３ａ側に設けられた複数の突出片２１を支持部材４の上面４ａと支持部材４に設けた複数の爪部２４に挟ませることにより、灯体２が器具本体３の上端３ａ側に取り付けられるので、当該取付作業を短時間で容易に行うことができて、省力化を図ることができる。
【００５２】
そして、振動等により灯体２が不所望に回動し、爪部２４を係止している器具本体３の突出片２１が爪部２４の先端部２４ａ側から抜けようとしても、先端部２４ａの折曲部２４ａａに当接する。この当接により、灯体２は、さらに回動しなくなる。これにより、突出片２１は、支持部材４の爪部２４の係止を保持する。すなわち、爪部２４の先端部２４ａに支持部材４の上面４ａ側に折曲する折曲部２４ａａを設けることにより、灯体２の器具本体３への取付けに対する安全性および信頼性を向上させることができる。
【００５３】
そして、発光ダイオード９が点灯すると、熱が発生し、光源部８の温度が上昇する。発光ダイオード９からの熱は、光源部８を介して下灯体部６および上灯体部５に伝熱される。これにより、灯体２の温度が上昇する。そして、灯体２から放射される熱により、器具本体３の内部、器具本体３および支持部材４の温度が上昇する。
【００５４】
そして、灯体２の上面２ａの大部分は、支持部材４の中空部２２に露出して外気に晒されているので、外気に晒されている灯体２の上面２ａから器具本体３の外気に直接的に放熱される。また、当該灯体２の上面２ａからの放熱は、灯体２の温度に応じて継続的に行われる。これにより、灯体２に伝熱された発光ダイオード９からの熱は、灯体２から早く放熱されるようになる。
【００５５】
また、器具本体３の内部温度が上昇すると、温度上昇した空気が支持部材４の上面４ａの切り起こしにより形成された開口２５の一部および支持部材４の外周端面と器具本体３の内面との隙間を通流するようになる。すなわち、外気が器具本体３の下端３ｂ側から器具本体３内に流入し、灯体２から放射された熱を吸収して開口２５の一部および上記隙間から流出する。特に、開口２５の一部を通流する空気は、灯体２の近くを流れるので、灯体２からの熱をよく吸収する。これにより、灯体２からの放熱がより促進される。
【００５６】
このように、支持部材４の中空部２２および開口２５の一部から外気に灯体２からの放熱が効果的に行われる。これにより、灯体２の温度上昇が抑制され、光源部８の温度上昇が抑制される。そして、発光ダイオード９の温度上昇も抑制されるようになる。この結果、発光ダイオード１０は、安定的に点灯して、所定の光出力を出力することができるとともに、寿命が長くなって長期間使用することができる。
【図面の簡単な説明】
【００５７】
【図１】本発明の一実施の形態を示す照明器具の一部切り欠き概略断面図。
【図２】同じく、照明器具の概略上面図。
【図３】同じく、支持部材の爪部を示し、（ａ）は器具本体の突出部に係止された状態の概略断面図、（ｂ）は器具本体の突出部を支持部材の上面との間で挟持している状態の概略断面図。
【図４】同じく、灯体を示し、（ａ）は概略側面図、（ｂ）は概略縦断面図。
【図５】同じく、灯体を示し、（ａ）は概略下面図、（ｂ）は概略上面図。
【符号の説明】
【００５８】
１…照明器具
２…灯体
３…器具本体
４…支持部材
【図１】
2007323926.tif 000003
【図２】
2007323926.tif 000004
【図３】
2007323926.tif 000005
【図４】
2007323926.tif 000006
【図５】
2007323926.tif 000007